(57)【要約】【課題】大きく撓むことができると共に、先端側部位が受けた微細な振動を、後方側に確実に伝達することができる釣り竿を提供すること。【解決手段】中実構造の第１穂先部２０と管状構造に形成した第２穂先部３０とを備え、この第２穂先部の先端に開口する嵌合孔３４に、第１穂先部２０から後方に突出する嵌合部２６を嵌合することにより、第１穂先部２０と第２穂先部３０とを一体構造に継ぎ合わせて形成した竿杆を有する釣り竿であって、第１穂先部２０は、金属製の芯材２２ａの外側に繊維強化樹脂からなる樹脂層２２ｂを積層して形成され、嵌合部２６は、樹脂層２２ｂの外周面に形成されて嵌合孔３４の内周面に接着剤層４０を介して結合される円筒状部２６ｂと、芯材２２ａから延びて嵌合孔３４の内周面に直接接触する振動伝達部２６ｃとを有する釣り竿。。【選択図】      図３
2009178130.tif 000002
【特許請求の範囲】
【請求項１】
中実構造の第１穂先部と管状構造に形成した第２穂先部とを備え、この第２穂先部の先端に開口する嵌合孔に、前記第１穂先部から後方に突出する嵌合部を嵌合することにより、第１穂先部と第２穂先部とを一体構造に継ぎ合わせて形成した竿杆を有する釣り竿であって、
前記第１穂先部は、金属製の芯材の外側に繊維強化樹脂からなる樹脂層を積層して形成され、前記嵌合部は、前記樹脂層の外周面に形成されて前記嵌合孔の内周面に接着剤層を介して結合される接着部と、前記芯材から延びて前記嵌合孔の内周面に直接接触する振動伝達部とを有することを特徴とする釣り竿。
【請求項２】
前記振動伝達部は、前記嵌合部の後方端に配置されることを特徴とする請求項１に記載の釣り竿。
【請求項３】
前記振動伝達部は、前記芯材に固定される金属製部材であることを特徴とする請求項１又は２に記載の釣り竿。
【発明の詳細な説明】
【技術分野】
【０００１】
本発明は、中実構造の第１穂先部と管状構造に形成した第２穂先部とを一体構造に継ぎ合わせた竿杆を有する釣り竿に関する。
【背景技術】
【０００２】
一般に、釣り竿の先端部分に配置される穂先は、細径かつ軽量構造に形成され、釣り糸を介する魚信を敏感に感得することができると共に、大きく撓むことのできる柔軟性も持っている。
【０００３】
このような釣り竿の穂先には、先端側部位を中実構造に形成し、この先端側部位から後方に突出する小径の嵌合部を、中空構造に形成した元側部位の先端側開口部内に嵌合し、これらの嵌合部と先端側開口部とを接着剤で一体的に結合したものがある（例えば特許文献１参照）。
【０００４】
この釣り竿の穂先では、先端側部位と後端側部位との間に形成される間隙に、接着剤を充填することにより、接着剤が外部に露出するのを防止し、結合力を強く保持して剥離するのを抑制するものである。
【特許文献１】特開平８−３３２００２
【発明の開示】
【発明が解決しようとする課題】
【０００５】
しかし、先端側部位と後端側部位との間に充填される接着剤は、振動吸収体として作用し、先端側部位が釣り糸から受け取った魚信すなわち微細な振動を後端側部位に伝達する前に弱めることになる。
【０００６】
すなわち、軽く、密度が高い物性を有する物質ほど振動をよく伝え、これとは逆の物性を有する物質は振動を伝え難いことが一般的に知られている。そして、釣り竿は、エポキシ樹脂層内にカーボン繊維を配設した中実体・中空体を形成し、接着剤としてエポキシ系の合成樹脂が一般的に用いられている。これらの接着剤と、中実体・中空体との物性を比較すると、中実体・中空体は硬質のカーボン繊維を高密度に含有しており、合成樹脂単体で形成される接着剤よりも、より振動を伝達し易く、逆に、接着剤は振動を吸収する作用をなすことになる。
【０００７】
本発明は、このような事情に基づいてなされたもので、大きく撓むことができると共に、先端側部位が受けた微細な振動を、後方側に確実に伝達することができる釣り竿を提供することを目的とする。
【課題を解決するための手段】
【０００８】
上記目的を達成する本発明の釣り竿は、中実構造の第１穂先部と管状構造に形成した第２穂先部とを備え、この第２穂先部の先端に開口する嵌合孔に、前記第１穂先部から後方に突出する嵌合部を嵌合することにより、第１穂先部と第２穂先部とを一体構造に継ぎ合わせて形成した竿杆を有する釣り竿であって、前記第１穂先部は、金属製の芯材の外側に繊維強化樹脂からなる樹脂層を積層して形成され、前記嵌合部は、前記樹脂層の外周面に形成されて前記嵌合孔の内周面に接着剤層を介して結合される接着部と、前記芯材から延びて前記嵌合孔の内周面に直接接触する振動伝達部とを有することを特徴とする。
【０００９】
前記振動伝達部は、前記嵌合部の後方端に配置されることが好ましい。
【００１０】
また、前記振動伝達部は、前記芯材に固定される金属製部材で形成することができる。
【発明の効果】
【００１１】
本発明の釣り竿によると、第１穂先部が金属製の芯材の外側に繊維強化樹脂からなる樹脂層を積層した中実構造を有することにより、釣り糸に作用する力に応じて大きく撓むことができ、この第１穂先部の嵌合部が、第２穂先部の嵌合孔の内周面に接着剤層を介して結合される接着部を樹脂層の外周面上に有し、第１穂先部の芯材に連結された振動伝達部を、第２穂先部の嵌合孔の内周面に直接接触させることにより、第１穂先部に作用する振動がこの芯材から振動伝達部を介して第２穂先部に効率よく伝達される。
【００１２】
この振動伝達部が嵌合部の後方端に配置される場合には、接着部と嵌合孔の内周面との間に、均等な厚さの接着剤層を形成することができる。
【００１３】
この振動伝達部が第１穂先部の芯材と一体に形成される場合には、構造が簡単で、振動が好適に第１穂先部から第２穂先部に伝達される。
【発明を実施するための最良の形態】
【００１４】
図１は、本発明の好ましい実施形態による釣り竿１０を示す。
【００１５】
この釣り竿１０は、振り出し式の例えば磯上物竿として形成してあり、穂先側の複数の竿杆を順に収納可能な最も大径の元側竿杆１２にリールシート１４を設け、このリールシート１４に魚釣用リール８を取付けてある。この釣り竿１０には、竿管の外面に釣り糸を滑らかに案内する釣糸ガイド６が、魚釣用リール８と同じ側で、釣り竿１０の穂先に向けて所定間隔をおいて固定され、竿先にはトップガイド６ａが取付けられている。このような釣糸ガイド６の個数および配置位置は、図示の例に限らず、任意に設定することが可能である。
【００１６】
このような釣り竿１０は、振出し式に限らず、いんろう継ぎ、並継ぎあるいは逆並継ぎ等の適宜の継ぎ形式のものであってもよい。また、複数の竿杆から形成するだけでなく、１本の竿杆でのみ形成してもよい。
【００１７】
この釣り竿１０の最も先端に配置した穂先竿１６は、中実構造の第１穂先部と管状構造に形成した第２穂先部とを一体構造に継ぎ合わせた竿杆で形成してあり、この第１穂先部の先端にトップガイド６ａが固定される。穂先竿１６の先側の第１穂先部を中実構造に形成することにより、魚の引き等で大きく撓むことができる。
【００１８】
図２に拡大して示すように、本実施形態の穂先竿１６を形成する竿杆は、中実構造の第１穂先部２０と管状構造に形成した第２穂先部３０とを一体構造に継ぎ合わせて形成してある。この第２穂先部３０は、強化繊維に合成樹脂を含浸させた繊維強化プリプレグ（ＦＲＰ）シートを芯金に巻回した後、硬化、脱芯等の通常の工程を経て形成される。
【００１９】
また、中実構造の第１穂先部２０は、例えば超弾性合金等の撓み性に優れた金属製の芯材２２ａの外側に繊維強化樹脂からなる樹脂層２２ｂを積層して形成してある。芯材２２ａを超弾性合金で形成する場合には、例えばＮｉ−Ｔｉ系合金、Ｎｉ−Ｔｉ−Ｆｅ系合金、Ｎｉ−Ｔｉ−Ｃｕ系合金、Ｎｉ−Ｔｉ−Ｃｒ系合金等、軸方向の引張り荷重で約３％以上の伸びを生じさせる状態に形状変化をさせた際に、約７０％以上の復元率で元の形状に回復する性質を有する材料が好ましい。また、この樹脂層２２ｂは、芯材２２ａの撓み性を阻害することなく、その変形に追従できる弾性率を持つ炭素繊維強化樹脂あるいはガラス繊維強化樹脂で形成することが好ましい。
【００２０】
なお、第１穂先部２０は、芯材２２ａに限らず、その全体を超弾性合金等の適宜の金属材料で形成することも可能である。
【００２１】
この第１穂先部２０は、第２穂先部３０と共に穂先竿１６の外周面を形成する本体部２４と、この本体部２４の元側の後方端から後方に向けて突出する嵌合部２６とを有する。また、第２穂先部３０は軸方向に貫通する内孔３２を有し、第１穂先部２０の嵌合部２６が嵌合する嵌合孔３４が先端側に開口させて形成される。
【００２２】
図３に拡大して示すように、第２穂先部３０の先端に開口する嵌合孔３４は、先端側に拡径するテーパ部３４ａと、このテーパ部３４ａの後方端に連続する円筒状部３４ｂとを有し、本実施形態の円筒状部３４ｂは内孔３２の一部すなわち同径でかつ連続した内周面で形成されている。このテーパ部３４ａは、適宜の傾斜角で形成することができるが、第１穂先部２０の本体部２４の外周面との間に大きな段差が形成されるのを防止し、剛性を緩やかに変化させるために、中心軸線に対してテーパ率で２０〜８０／１０００程度の角度に形成することが好ましい。
【００２３】
一方、第１穂先部２０の嵌合部２６は、円筒状の本体部２４から後方に向けて縮径するテーパ部２６ａと、このテーパ部２６ａの後方端から後方に延びる円筒状部２６ｂと、この円筒状部２６ｂの後方端すなわち後端に配置された振動伝達部２６ｃとを有する。テーパ部２６ａは、嵌合孔３４の先端側に位置するテーパ部３４ａとほぼ同じ傾斜角で形成され、円筒状部２６ｂは、嵌合孔３４の円筒状部３４ｂの内周面よりも僅かに小径に形成され、振動伝達部２６ｃは、この円筒状部３４ｂの内周面と略同径に形成される。ここに、略同径は、寸法誤差を考慮して±０．０２ｍｍの許容範囲を含む。
【００２４】
本実施形態の嵌合部２６は、芯材２２ａは縮径されることなく、樹脂層２２ｂのみが本体部２４の外周面に対して縮径されている。これにより、樹脂層２２ｂが、嵌合部２６のテーパ部２６ａおよび円筒状部２６ｂで外周面を形成する。この薄肉構造の樹脂層２２ｂ内を、芯材２２ａが後方に延び、この後端部を半径方向外方に膨出させて、芯材２２ａと一体の振動伝達部２６ｃを形成する。
【００２５】
この振動伝達部２６ｃは、第２穂先部３０の嵌合孔３４の内周面との間の接触面積を大きくするために円筒状面を有することが好ましいが、芯材２２ａの微細な振動を第２穂先部３０に伝達できるものであれば、全周にわたって連続した接触面を形成することに代え、周方向に間隔を置いて接触する複数の接触面を形成するものであってもよい。この振動伝達部２６ｃは、効率よく振動を伝達するために、軸方向に沿って、例えば嵌合部２６の５〜５０％程度の長さにわたって嵌合孔３４の内周面と接触することが好ましい。
【００２６】
この振動伝達部２６ｃとテーパ部２６ａとの間に位置する円筒状部２６ｂは、嵌合孔３４の円筒状部３４ｂの内周面よりも０．０５〜０．３ｍｍの範囲で、好ましくは０．１０ｍｍ程度小さな内径を有し、この円筒状部３４ｂの内周面との間に、接着剤層４０を形成するための環状スペースを形成する。円筒状部２６ｂの外径をこのように形成することにより、嵌合孔３４内に挿入する嵌合部２６の深さを調節し、嵌合部２６のテーパ部２６ａと嵌合孔３４のテーパ部３４ａとの間にも、同様な厚さの接着剤層４０を形成することができる。
【００２７】
このように形成した第１穂先部２０と第２穂先部３０とを一体的に継ぎ合わせる際は、第１穂先部２０の嵌合部２６のテーパ部２６ａおよび円筒状部２６ｂの外周に好適な接着剤を塗布しておく。この接着剤層は、円筒状部２６ｂ上で、少なくとも振動伝達部２６ｃの外周面よりも盛上げた状態に形成しておくことが好ましい。
【００２８】
この後、第１穂先部２０の嵌合部２６を、後方端に位置する振動伝達部２６ｃから、第２穂先部３０の嵌合孔３４内に挿入する。振動伝達部２６ｃは、嵌合孔３４の先端に位置するテーパ部３４ａにより、円筒状部３４ｂまで案内される。更に、第１穂先部２０を後方に押圧すると、振動伝達部２６ｃがこの円筒状部３４ｂの内周面に沿って案内されつつ後方に押し込まれ、嵌合部２６の円筒状部２６ｂの外周には、嵌合孔３４の円筒状部３４ｂの内周面との間に、全周にわたって一定の径方向寸法を有する間隙と、この間隙を充填する接着剤とが形成される。円筒状部２６ｂの外周部に塗布されて外周面よりも盛上った接着剤は嵌合孔３４の円筒状部３４ｂの先端側でしごき取られ、周方向に沿って不均一な厚さとなるのが防止される。
【００２９】
そして、第１穂先部２０の本体部２４の後端と、第２穂先部３０の先端との間に所要幅の環状間隙３５が形成された状態に保持することにより、テーパ部２６ａ，３４ａ間にも、円筒状部２６ｂ，３４ｂ間と同様な間隙が形成され、全周にわたって均等な厚さの接着剤層４０が形成される。この接着剤層４０が硬化されることにより、一定の取付強度で一体構造に継ぎ合わされた１本の竿杆からなる穂先竿１６が形成される。
【００３０】
本実施形態では、第１穂先部２０の嵌合部２６は、これらのテーパ部２６ａおよび円筒状部２６ｂが第２穂先部３０に接着剤層４０を介して接着固定する接着部として機能し、更に、振動伝達部２６ｃは、嵌合孔３４の内周面に沿って円筒状部２６ｂの外周側に一定の間隙を確保しつつ案内する案内部として機能する。上述のように、振動伝達部２６ｃの軸方向長さが、例えば嵌合部２６の長さに対して５〜５０％程度に形成されている場合には、案内部としても機能を発揮させることができる。
【００３１】
この嵌合部２６を嵌合孔３４内に挿入する際、嵌合部２６の後方端に形成した振動伝達部２６ｃが、嵌合孔３４の円筒状部３４ｂの内周面に接触しつつ軸方向に案内する。この嵌合部２６の接着部であるテーパ部２６ａおよび円筒状部２６ｂと嵌合孔３４のテーパ部３４ａおよび円筒状部３４ｂの内周面との間には、所要の厚さの接着剤層４０をその全周にわたってほぼ一定の厚さに維持することができる。これにより、中実構造の第１穂先部２０と管状構造の第２穂先部３０とを、安定した接着剤層４０を確保して安定した取付強度で継ぎ合わせた竿杆で形成された穂先竿１６を有する釣り竿１０が形成される。
【００３２】
そして、嵌合部２６が嵌合孔３４内に嵌合されて固定されると、第１穂先部２０が金属製の芯材２２ａの外側に繊維強化樹脂からなる樹脂層２２ｂを積層した中実構造を有することにより、釣り糸に作用する力に応じて大きく撓むことができる。この嵌合部２６が、嵌合孔３４の内周面に接着剤層４０を介して結合される接着部であるテーパ部２６ａおよび円筒状部２６ｂを樹脂層２２ｂの外周面上に有し、第１穂先部２０の芯材２２ａに連結された振動伝達部２６ｃを、第２穂先部３０の嵌合孔３４の内周面に直接接触させることにより、第１穂先部２０に作用する微細な振動がこの芯材２２ａから振動伝達部２６ｃを介して第２穂先部３０に効率よく伝達される。この振動は、第２穂先部３０から、例えば複数の竿杆を介して元側竿杆１２（図１）に伝達され、釣り人は、握持する釣り竿１０を介して、この微細な魚信を探知することができる。
【００３３】
すなわち、嵌合部２６と嵌合孔３４とで形成される嵌合領域では、接着剤層４０が第１穂先部２０と第２穂先部とを一体的に結合し、嵌合孔３４の内周面に直接接触する振動伝達部２６ｃが、第１穂先部２０の振動を吸収することなく、第２穂先部２２に伝達する。これは、振動伝達部２６ｃが金属製の芯材２２ａと一体の金属で形成されていることから、繊維強化樹脂中のカーボン繊維よりも極めて効率よく振動を伝達することができるためである。なお、同一形状の試験片で振動が止まるまでの時間に基づいた振動吸収性の比較では、軽金属の９秒に対してカーボン繊維強化樹脂では２．５秒である。
【００３４】
このように、魚信を第１穂先部２０から第２穂先部３０に伝達する振動伝達部２６ｃが、芯材２２ａに一体に形成されることにより、構造が簡単で、振動を極めて好適に第１穂先部２０から第２穂先部３０に伝達することができる。
【００３５】
図４は、他の実施形態による穂先竿１６Ａを示す。なお、以下に示す種々の実施形態あるいは変形例は、基本的には上述の実施形態と同様であるため、同様な部材には同様な符号を付し、その詳細な説明を省略する。
【００３６】
図４に示す実施形態では穂先竿１６Ａの嵌合部２６に形成される振動伝達部２６ｃが、この第１穂先部２０の芯材２２ａとは別個に形成されたリング部材２８で形成してある。このリング部材２８は、嵌合孔３４の円筒状部３４ｂの内径と略同径の外径を有し、嵌合部２６内に延設された芯材２２ａの後端に嵌合される。
【００３７】
このリング部材２８は、芯材２２ａの微細な振動を嵌合孔３４の内周面を介して、第２穂先部３０に伝達することができるものであればよく、例えば鉄、ステンレス、真鍮、超弾性合金、形状記憶合金、アルミ、チタン、軽金属合金等の金属、セラミックス、炭化ケイ素等の硬質部材で形成してもよい。
【００３８】
このように、芯材２２ａと別体に形成することにより、上述の実施形態と同様な作用効果に加え、例えば芯材２２ａが加工し難い材料で形成されている場合でも、極めて簡単に振動伝達部２６ｃを形成することができる。
【００３９】
なお、図示のリング部材２８は、嵌合部２６の後端に、芯材２２ａの後端面と共に同一面を形成するように配置してあるが、芯材２２ａの後端面から前方に偏倚した位置に配置してもよい。また、必要な場合には、例えば軸方向に離隔させて複数の位置に配置することも可能である。この場合には、振動伝達部２６ｃの全体の軸方向寸法を短くすることもできる。また、第２穂先部３０の中心軸線に対して、嵌合部２６の中心軸線を同心状に位置させることができる。また、リング部材２８の後端を閉じたキャップ状又は有底構造に形成することも可能である。
【００４０】
図５に示す穂先竿１６Ｂは、嵌合部２６に形成される振動伝達部２６ｃが、嵌合部２６の後端からねじ込んで、芯材２２ａの後端に継合させるネジ部材２９で形成してある。このネジ部材２９は、雄ネジを形成したシャンク部２９ａを嵌合部２６の後端に開口させたネジ孔に螺合し、このシャンク部２９ａの先端を芯材２２ａの後端に形成した凹部にはめ込み、ヘッド部２９ｂが嵌合孔３４の内周面に直接接触する。
【００４１】
このように、ネジ部材２９で振動伝達部２６ｃを形成することにより、嵌合部２６に対する取付及び取外しが極めて容易である。
【００４２】
以上、図に示す種々の実施形態および変形例について個々に説明してきたが、本発明はいずれかの実施形態あるいは変形例に限定されるものではなく、様々な用途に応じて適宜に変更しあるいは組合せることが可能である。例えば、図４に示すリング部材２８を図３および図５に示す実施形態の嵌合部２６に追加することも可能である。
【図面の簡単な説明】
【００４３】
【図１】本発明の好ましい実施形態による釣り竿の全体を示す説明図。
【図２】図１に示す釣り竿の穂先竿の継ぎ部の断面図。
【図３】図２を更に拡大した断面図。
【図４】他の実施形態による穂先竿の断面を示し、（Ａ）は長手方向の部分断面図、（Ｂ）は（Ａ）のＢ−Ｂ線に沿う断面図、（Ｃ）はＣ−Ｃに沿う断面図。
【図５】更に他の実施形態による穂先竿の継ぎ部の部分断面図。
【符号の説明】
【００４４】
１０…釣り竿、１６…穂先竿（竿杆）、２０…第１穂先部、２２ａ…芯材、２２ｂ…樹脂層、２６…嵌合部、２６ｂ…円筒状部（接着部）、２６ｃ…振動伝達部、３０…第２穂先部、３４…嵌合孔、４０…接着剤層。
【図１】
2009178130.tif 000003
【図２】
2009178130.tif 000004
【図３】
2009178130.tif 000005
【図４】
2009178130.tif 000006
【図５】
2009178130.tif 000007